(57)【要約】【課題】プリント処理を行う前になされる前回転処理に起因した感光体ドラムの消耗を防ぎ、感光体ドラムの長寿命化を図った画像形成装置を提供する。【解決手段】操作部７８と、画像メモリ７３と、原稿板３４上に置かれた原稿を画像読取走査部３３によって読取る画像読取部３と、電子写真方式の画像記録部４と、前記画像読取部によって原稿の読取りがなされたことを検知すると前記画像記録部におけるプロセス部の前回転処理を行ってからプリント処理を行う制御部７０とを備えた画像形成装置１であって、前記制御部は、前記操作部７８によって長寿命モードが選択され、且つ前記画像読取走査部によって原稿の読取りがなされた場合は、所定の枚数の原稿読取データが前記画像メモリに蓄積されてからプリント処理を行うことを特徴とする。【選択図】図３
2010041313.tif 000002
【特許請求の範囲】
【請求項１】
操作部と、画像メモリと、原稿板上に置かれた原稿を画像読取走査部によって読取る画像読取部と、電子写真方式の画像記録部と、プリント指令があったときには前記画像記録部におけるプロセス部の前回転処理を行ってからプリント処理を行うよう制御する制御部とを備えた画像形成装置であって、
前記制御部は、前記操作部によって長寿命モードが選択され、且つ前記画像読取走査部によって原稿の読取り及び前記プリント指令がなされた場合は、所定の枚数の原稿読取データが前記画像メモリに蓄積されてからプリント処理を行うように制御することを特徴とすることを特徴とする画像形成装置。
【請求項２】
請求項１に記載の画像形成装置において、
前記制御部は、所定時間を計時するタイマ部を備え、
前記操作部によってプリント処理のスタート操作がなされた場合は、前記タイマ部を起動して前記所定時間を計時し、前記画像メモリに前記所定の枚数の原稿読取データが蓄積される前に、前記所定時間が経過した場合は、読取済みの前記原稿読取データのプリント処理を行うことを特徴とする画像形成装置。
【請求項３】
請求項１又は請求項２に記載の画像形成装置において、
前記原稿読取データの蓄積枚数を設定する設定部を更に備えていることを特徴とする画像形成装置。
【発明の詳細な説明】
【技術分野】
【０００１】
本発明は、ファクシミリ装置、複写機或いはプリンタ（これらの複合機も含む）等に採用される画像形成装置に関する。更に詳しくは、画像読取部によって原稿の読取りがなされたことを検知すると電子写真方式の画像記録部におけるプロセス部の前回転処理を行ってからプリント処理を行う画像形成装置に関する。
【背景技術】
【０００２】
上記のような電子写真方式の画像記録部を備えた画像形成装置の画像読取部としては、主に以下の２種類の読取り方式がある。ひとつは、プラテンガラスなどの原稿板上に置かれた原稿を該原稿板の下を左右に往復移動して画像を読取る走査部によって読取る方式（以下、ＦＢＳ（フラットベッドスキャナ））方式という。）である。もうひとつは、原稿トレイに置かれた原稿を一枚ずつ自動原稿送り装置で搬送し、搬送されてくる原稿の画像を読取る方式（以下、ＡＤＦ（オートドキュメントフィーダ）方式という。）である。そしてこれら２種類の読取り方式を両方或いはいずれか一方のみを備えた画像形成装置が知られている。一般的には、例えばＡＤＦ方式の原稿自動搬送装置で搬送できないような原稿（例えばブック原稿）を読取る場合には、ＦＢＳ方式が好適に使用され、複数枚の原稿を続けて読取らせる場合或いは両面プリントを行う場合などはＡＤＦ方式が好適に使用される。
【０００３】
画像読取部で読取った画情報は、帯電器、感光体ドラム、現像器、転写器などで構成されるプロセス部、そして定着部を経て記録紙にプリントされる。
原稿を記録紙にプリント処理する前には、プロセス部をプリント処理に最適な状態とするため、感光体ドラム、現像器、転写器を駆動し、感光体ドラムの表面のクリーニングなどをするいわゆる前回転処理を行う画像形成装置がある。
しかしながら、感光体ドラムは回転する現像器の現像ローラを感光体ドラムの表面に接触させることにより、回転する構造となっているため、前回転処理が頻繁になされると感光体ドラムの表面が削れてしまう。よって、前回転処理がなされる回数が多ければ多いほど、プリント処理によって使用される頻度とは別に感光体ドラムの寿命が短くなってしまうことが指摘されている。特に上述のＦＢＳ方式によってプリント処理が行われると１枚の原稿を読取ろうとする度に上述の前回転処理がなされるため、極端に感光体ドラムの寿命が短くなってしまうことがある。
【０００４】
下記特許文献１には、複写機、ファクシミリ、プリンタの機能を同時に使用できる画像形成装置が記載されている。ここには、上述のような画像読取部で読取った原稿読取データ、その他機能によって書き込まれた複数のデータをメモリに記憶しておき、これらデータを同時に連続してプリントさせることが開示されている。
これによれば、複数の機能を同時に実行できるので、効率よく使用することができるとされている。
【０００５】
下記特許文献２には、ＦＢＳ方式で複数の原稿を読取って送信する場合、原稿の読取前に原稿読取範囲を設定する設定手段と、設定された原稿読取範囲に基づいて以降の原稿の読取を実行させる制御手段とを備えた通信端末装置が記載されている。
これによれば、同サイズの原稿をＦＢＳ方式で読取る際に、原稿読取範囲（Ａ４サイズ、Ｂ４サイズなど）を繰り返し設定する必要がなくなるので、設定操作或いは原稿の読取操作を簡略化できるとされている。
【特許文献１】特開平５−３２８０６６号公報
【特許文献２】特開平１１−５５４６９号公報
【発明の開示】
【発明が解決しようとする課題】
【０００６】
前記特許文献１には、画像読取部で読取った原稿読取データ、その他機能によって書き込まれた複数のデータをメモリに溜めて後に、同時にプリント処理を行う点については記載されているが、感光体ドラムの寿命に配慮した制御についての記載はない。
また前記特許文献２には、ＦＢＳ方式での設定操作を簡略化して効率よく使用できるようにしたことについては記載されているが、ここにも感光体ドラムの寿命に関する記載はない。
【０００７】
本発明は、前記実情に鑑みなされ、プリント処理を行う前になされる前回転処理に起因した感光体ドラムの消耗を防ぎ、感光体ドラムの長寿命化を図った画像形成装置を提供することを目的としている。
【課題を解決するための手段】
【０００８】
本発明に係る画像形成装置は、操作部と、画像メモリと、原稿板上に置かれた原稿を画像読取走査部によって読取る画像読取部と、電子写真方式の画像記録部と、プリント指令があったときには、前記画像記録部におけるプロセス部の前回転処理を行ってからプリント処理を行うよう制御する制御部とを備えた画像形成装置であって、
前記制御部は、前記操作部によって長寿命モードが選択され、且つ前記画像読取走査部によって原稿の読取り及び前記プリント指令がなされた場合は、所定の枚数の原稿読取データが前記画像メモリに蓄積されてからプリント処理を行うよう制御することを特徴とする。
ここで前回転処理とは、プリント処理を行う前に、画像記録部におけるプロセス部をプリント処理を実行するのに最適な環境とする前処理のことをいい、例えば現像ローラなどを駆動させ、感光体ドラムの表面をクリーニングなどする処理をいう。
【０００９】
本発明においては、前記制御部は、所定時間を計時するタイマ部を備え、前記操作部によってプリント処理のスタート操作がなされた場合は、前記タイマ部を起動して前記所定時間を計時し、前記画像メモリに前記所定の枚数の原稿読取データが蓄積される前に、前記所定時間が経過した場合は、読取済みの前記原稿読取データのプリント処理を行うようにしてもよい。また前記原稿読取データの蓄積枚数を設定する設定部を更に備えた画像形成装置としてもよい。
【発明の効果】
【００１０】
本発明の画像形成装置によれば、長寿命モードが選択され、且つ前記画像読取走査部によって原稿の読取りがなされた場合は、所定の枚数の原稿読取データが前記画像メモリに蓄積されてからプリント処理を行う。すなわち、所定枚数の読取り原稿のプリント毎に１回の前回転処理がなされることになり、前回転処理が行われる回数を減らすことができる。よって、前回転処理により、感光体ドラムと現像ローラとが接触して回転することによって感光体ドラムが削れて消耗してしまうことを防ぐことができ、感光体ドラムの長寿命化を図ることができる。
【発明を実施するための最良の形態】
【００１１】
以下に本発明の最良の実施の形態について、図面に基づいて説明する。図１は本発明の画像形成装置が採用された複合機の一例を示す概略的縦断面図、図２は同画像形成装置の主要構成部分の制御ブロック図、図３は同画像形成装置の基本動作を示すフローチャート、図４は同画像形成装置の基本動作の変形例を示すフローチャートである。
【００１２】
図１は、ファクシミリ機能、複写機能及びプリンタ機能を備えた所謂複合機であるが、本発明の画像形成装置１は、画像記録部、画像読取部を備えた複写機にも適用される。図例の画像形成装置１は、上部より自動原稿送り装置（ＡＤＦ）２、画像読取部３、画像記録部４及び記録紙の供給部５が積層状態で構成されている。
ＡＤＦ２は、シートものの原稿を１枚ずつ搬送しながら、片面の画像を読取って、デジタル信号として出力するための原稿送り装置として構成されている。原稿トレイ２１上に堆積された原稿を、ピックアップローラ２２及び分離手段（分離ローラとリタードローラの対）２３により１枚ずつ繰出し分離する。各搬送ローラ対２４、２５、２６により湾曲搬送路２７を搬送させながら、途中ＡＤＦ原稿の読取ポイント１００において、静止した読取走査装置（後記する）３１によってその画像を読取る。そして、排出ローラ対２８によって原稿排出トレイ２９上に順次排出させる。尚、分離手段２３としては、分離ローラと分離パッドからなる分離手段２３も多く採用されている。
【００１３】
画像読取部３は、原稿画像の複写或いはファクシミリ送信の際に使用され、ＡＤＦ読取部３２と平板式画像読取走査部（ＦＢＳ）３３とにより構成される。図１は、前記読取走査装置３１がＡＤＦ読取ポイント１００の直下のＡＤＦ読取部３２に静止し、ＡＤＦ２によって順次自動的に搬送される原稿の画像を読取る状態を示している。ＦＢＳ３３において画像読取を行う場合は、読取走査装置３１がＦＢＳ３３に移動し、原稿板（プラテンガラス）３４の下を左右に往復移動しながら、プラテンガラス３４の上に下向きに置かれた原稿の画像を読取る。前記ＡＤＦ２を構成する一連の機構は、プラテンガラス３４を開閉自在に覆うように設けられたＦＢＳカバー３５（プラテンカバー）と一体に構成され、ＦＢＳカバー３５と装置本体１１とは紙面奥側をヒンジ部として上下に開閉できるようになっている。前記ＡＤＦ２を構成する一連の機構は、プラテンカバー（原稿押圧板）も兼ね、紙面奥側をヒンジ部として上下に開閉できるよう構成されている。
【００１４】
画像記録部４は、クリーナレスシステムが採用された電子写真方式の画像記録部であり、感光体ドラム４１の周囲に、プラス（或いはマイナス）帯電方式の帯電器４２、露光器４３、現像器４４、転写器４６及びメモリ除去ブラシ４５をこの順序で配したプロセス部により構成される。
感光体ドラム４１、帯電器４２及びメモリ除去ブラシ４５は、樹脂製のドラムユニット筐体に組込まれ、ドラムユニット４１０として構成される。このドラムユニット４１０は、前記画像形成装置１の装置本体１１内の所定部位に着脱自在に装着できるよう構成されている。
帯電器４２は、図例ではブラシ帯電器であることを示しているが、ローラ帯電器、スコロトロン型帯電器であっても良い。ドラムユニット４１０が、装置本体１１内に装着された時には、感光体ドラム４１を矢印方向に回転させる為の不図示の駆動伝達系に連結される。帯電器４２は、感光体ドラム４１の表面を一様に帯電し、所定のバイアス電位に印加させる為に高圧電源に連結されている。そしてこの帯電器４２によって感光体ドラム４１の表面には所定の感光体電位が付与される。
露光器４３は、多数のＬＥＤを走査方向（感光体ドラム４１の軸方向）に沿って配列されたＬＥＤヘッドアレイからなり、前記装置本体１１内に設置されている。転写器（転写ローラ）４６は、装置本体１１内のレジストローラ対１２と定着器ユニット６との間の記録紙搬送路の途中に回転可能に設けられている。ドラムユニット４１０が装置本体１１内の所定部位に装着された時には、転写器４６は感光体ドラム４１と接して、所定のバイアス電位が印加され且つ感光体ドラム４１と協働して回転するよう構成される。ここで露光器４３の照射体はＬＥＤに限定されず、レーザー等であってもよい。
メモリ除去ブラシ４５は、感光体ドラム４１の表面に接するように設けられ、転写後の残留トナーは、該メモリ除去ブラシ４５によって掻き乱され分散されて、残像が消され、静電潜像への影響が回避された状態で現像器４４に回収される。
【００１５】
定着器ユニット６は感光体ドラム４１と転写器４６の下流側に設けられ、加熱源となるハロゲンランプ６０が内蔵されたヒートローラ６１と、プレスローラ６２とが組み込まれている。また定着器ユニット６には、排出トレイ８に記録紙９を排出させる排出ローラ対７も組み込まれている。
【００１６】
現像器４４は、攪拌器４４２、供給ローラ４４３、現像ローラ４４４を備え、現像器ユニット４４０として構成される。
前記ドラムユニット４１０、現像器ユニット４４０の結合状態では、感光体ドラム４１と現像ローラ４４４とが互いに接した状態で構成されている。現像器ユニット４４０が、装置本体１１内に装着された時には、攪拌器４４２を回転させる為の不図示の回転伝達系が連結される。また、供給ローラ４４３及び現像ローラ４４４は図１の矢印方向に回転させる為の不図示の回転伝達系に連結され、供給ローラ及び現像ローラ４４４は、所定の現像バイアス電位に印加する為の不図示の電源コネクタに連結される。
【００１７】
記録紙９の供給部５は、紙面垂直方向に出し入れ可能な記録紙カセット（用紙載置部）５１を備え、記録紙カセット５１の前端部上には供給ローラ１６が設けられている。この供給ローラ１６には分離パッド１７が接するように設けられ、供給ローラ１６の支軸周りの回転に伴い、記録紙カセット５１に収容された記録紙９が、最上層部より繰出され、分離パッド１７の作用を受けて１枚ずつ分離され搬送されて行く。記録紙カセット５１内には、ヒンジピン５３を支点として上下に揺動することができるように構成された押上板５４及び記録紙９の後端を規制する位置調整可能な規制板５２が設けられている。押上板５４は圧縮ばね５５により上向きに弾力が付与された状態で設けられている。その他、図示及び説明を割愛するが、記録紙カセット５１として必要な付帯部材も装備される構成であることは言うまでもない。尚、記録紙カセット５１の下に、更にオプションカセット（不図示）を設け、２段以上のマルチカセットシステムを構成することも可能である。
【００１８】
前記分離パッド１７は、パッド台１８に支持され、該パッド台１８は、記録紙カセット５１の記録紙排出側端部に用紙幅全域に亘り形成された用紙ガイド部材１９の略中央部に圧縮ばね（不図示）により上向きに弾力が付与された状態で設置されている。この圧縮ばねによる上向きに働く作用により、分離パッド１７は供給ローラ１６の周面に接する状態とされる。用紙ガイド部材１９の背後には下段カセットからの記録紙が通過し得る間隔を隔てて、ジャムアクセスカバー（メンテナンス用開閉カバー）１４が取付けられており、このジャムアクセスカバー１４は、画像形成装置１における箱型筐体（装置本体）１１の右側壁部に、ヒンジピン１４１を支点として開閉可能に取付けられている。ジャムアクセスカバー１４の内面上方部分は記録紙カセット５１側に湾曲して、後記する湾曲搬送路１３の一部を形成する。
【００１９】
ジャムアクセスカバー１４の内側には、前記装置本体１１内に設置された搬送ローラ１５と対合するプレスローラ１５１が取付けられており、ジャムアクセスカバー１４を、ヒンジピン１４１を支点として開ければ、搬送ローラ１５とプレスローラ１５１とのニップ状態が解除され、この付近にジャムした記録紙の取出しが可能とされる。湾曲搬送路１３は、記録紙カセット５１から繰出された記録紙を、略１８０度方向転換して、Ｕターン状に搬送し画像記録部４に向かわせる。この湾曲搬送路１３における画像記録部４の上流側近傍には、レジストローラ対１２が設けられ、記録紙がレジストされ、画像記録部４に導入される。搬送ローラ１５、湾曲搬送路１３及びレジストローラ対１２により、記録紙カセット５１から繰出された記録紙９を画像記録部４に搬送させる為の記録紙の搬送手段が構成される。
【００２０】
次に図２に基づいてこの画像形成装置１の主要構成部分の制御について説明する。
７０は、以下の各部を制御するＣＰＵ、７１は制御プログラムなどを予め記憶したＲＯＭ、７２はファクシミリ番号或いは制御の設定内容など、各種データを記憶するためのＲＡＭである。７３は画像読取部３で読取られた原稿読取データ或いは外部端末（ファクシミリ、パソコンなど）から伝送された画像データなどを一時格納し蓄積する画像メモリである。図２における３は上述の画像読取部であり、４は上述の画像記録部である。これらもＣＰＵ７０によって駆動のタイミング或いは動作が制御されている。画像読取部３は、プラテンカバーを兼ねたＡＤＦ２の開閉を検知するカバー開閉センサ３００と、プラテンガラス３４の上に原稿が置かれたことを検知する原稿検知センサ３０１とを備えている。７４は所定の時間を計時するタイマ部であり、７５は電話回線７５０にダイヤル信号を送出し、電話回線７５０に対する接続制御を行うＮＣＵ、７６はファクシミリ通信或いは電子メール通信を行うために信号の変調と復調を行うモデムである。７７は液晶ディスプレイ或いはＬＥＤなどで構成される表示部、７８は各種操作キーを備えた操作部である。操作部７８は、プリント処理、ファクシミリ処理などを開始のトリガとなるスタートキー７８０など各種操作キーを備えている。図中、７８１は、プリントの枚数或いはファクシミリ番号などを設定するためのテンキー、７８２は、プリント処理において、長寿命モードと通常モードを選択しいずれかのモードに設定するための長寿命モード選択キーである。ここで長寿命モードに設定すると、ＦＢＳ３３で原稿を読取る際に１枚の原稿を読取る度に前回転処理を行わず、所定の枚数の原稿が読取られた後にこれを１ジョブとして前回転処理を行い、プリント処理がなされる。これによって前回転処理の回数を減らし、感光体ドラム４１の長寿命化を図ることができる。この制御については後に詳述する。一方、通常モードに設定すると、ＦＢＳ３３で原稿を読取る際に１枚の原稿を読取る度に前回転処理を行ってからプリント処理がなされる。７９は長寿命モードが選択された際の原稿読取データの蓄積枚数（前記所定の枚数）を設定する設定部であり、テンキー７８１などでの入力された数値に基づいて蓄積枚数を設定する。
【００２１】
ＣＰＵ７０は感光体ドラム４１、その他の回転機構部を回転させる駆動モータに作動又は駆動信号を出力することにより、感光体ドラム４１等の回転を制御している。またＣＰＵ７０によって、帯電器４２、現像器ユニット４４０、転写器４６が、所定のタイミングで所定のバイアス電圧に印加されるよう制御され、該タイミングはタイマ部７４によって計時される。このタイマ部７４は各回転機構の回転タイミングを計時するとともに、長寿命モードが選択された場合の所定時間も計時する。
【００２２】
以上のように構成される画像形成装置１では、画像読取部３のＡＤＦ読取部３２或いは、ＦＢＳ３３によって原稿の読取りがなされたことを検知すると、画像記録部４におけるプロセス部の前回転処理を行ってから、プリント処理が実行される。また外部端末（ファクシミリ、パソコンなど）からプリント指令があった場合にも、画像記録部４におけるプロセス部の前回転処理を行ってから、プリント処理が実行される。
そして、ＦＢＳ３３で原稿を読取る際に、長寿命モードが操作部７８の長寿命モード選択キー７８２で選択された場合は、ＦＢＳ３３で原稿を読取る場合、以下のような制御がなされる。
図３に基づいて、この画像形成装置における長寿命モード時のプリント処理の制御について詳説する。
【００２３】
カバー開閉センサ３００によって、ＦＢＳ３５カバーが開になったことを検知し（Ｓ１００）、長寿命モード選択キー７８２で長寿命モードが選択された場合は（Ｓ１０１）、前回転処理動作に移行しないようプリント処理をここでは禁止する（Ｓ１０２）。ここで長寿命モードが選択されなかった場合は、通常モードとして一枚の原稿が読取られる度にこれを１ジョブとして前回転処理を行い、プリント処理を行う（Ｓ１１２）。
プラテンガラス３４の上に原稿が置かれたことを原稿検知センサ３０１によって検知し、ＡＤＦ２が閉になったことをカバー開閉センサ３００によって検知した後、スタートキー７８０がＯＮになった場合は（Ｓ１０３〜Ｓ１０５）、タイマ部７４の計時を開始する（Ｓ１０６）。そしてタイマ部７４によって所定時間を計時するとともに、プラテンガラス３４上の原稿をＦＢＳ３３によって読取り、ＦＢＳ３３によって読取った原稿読取データは画像メモリ７３に蓄積していく（Ｓ１０６）。
【００２４】
ＦＢＳ３３により読取りが完了し（Ｓ１０７）、所定時間内においてＦＢＳ３３で読取られた原稿が所定枚数蓄積されていない場合は（Ｓ１０９）は、プリント許可の制御には移行せず、再びプラテンガラス３４上に原稿が置かれたか否かの検知（Ｓ１０３）を行う。
そして上述のＳ１０４〜Ｓ１０８の処理をＦＢＳ３３で読取った原稿の蓄積枚数が所定枚数に達するまで繰り返す（Ｓ１０９）。ＦＢＳ３３で読取った原稿が所定の枚数に達した場合は（Ｓ１０９）は、禁止していたプリント処理を許可し（Ｓ１１０）、画像メモリ７３に蓄積された原稿読取データを１ジョブとしてプリント処理する（Ｓ１１１）。このとき、前回転処理も１ジョブ単位でなされることになるので、原稿を１枚読取る毎に前回転処理が行われることを防ぐことができる。
一方、画像メモリ７３に所定の枚数の原稿読取データが蓄積される前にタイマ部７４で計時される所定時間が経過しタイムアップ（Ｓ１０８）した場合は、読取りは完了したとして、禁止していたプリント処理を許可する（Ｓ１１０）。そして、画像メモリ７３に蓄積された読取り済みの原稿読取データを１ジョブとしてプリント処理する（Ｓ１１１）。
【００２５】
これによれば、所定の枚数の原稿読取データが画像メモリ７３に蓄積されてからプリント処理を行うので、前回転処理が行われる回数を減らすことができる。よって前回転処理により、感光体ドラムと現像ローラとが接触して回転することによって感光体ドラムが削れて消耗してしまうことを防ぐので、感光体ドラムの長寿命化を測ることができる。
また所定の枚数の読取りがなされた場合は、所定時間の経過を待たずにプリント処理に移行するので、プリント処理がなされるまで無駄な待ち時間が発生せず、ユーザによって使い勝手がよい。一方、所定の枚数の読取りがなかった場合でも、所定時間を経過すれば、プリント処理が開始されるので、原稿読取データが画像メモリ７３に蓄積されたままになるという不具合が生じない。
【００２６】
ここで１ジョブとして処理する原稿を蓄積する枚数は、予め設定された構成としてもよいし、長寿命モードを選択した後に、テンキー７８１による操作などによってユーザ側で所望の枚数を入力し、これに基づいて設定部７９で設定できる構成としてもよい。ユーザ側で所望の枚数を設定する場合は、長寿命モードが選択された後に（Ｓ１０１の後）、設定する枚数を入力するよう促す表示部７７に切り替わる構成とすればよい。例えばＦＢＳ３３で１０種類の原稿をコピーしたい場合は、この時点で蓄積枚数を「１０」枚と入力すれば、１０枚の原稿読取データが画像メモリ７３に蓄積されてから前回転処理がなされ、これを１ジョブとしてプリント処理がなされる。
ユーザ側で１ジョブとして処理する蓄積枚数を適宜設定できる構成とすれば、ユーザの使用にあわせることができるので、より一層使い勝手がよくなる。
【００２７】
続いて図４に示すフローチャートは上述の基本動作の変形例を示すフローチャートである。ここでは、ＦＢＳ３３で読取られた原稿が所定の枚数に達していない場合でも、タイムアップを待たずにプリント処理へ移行できる制御例を示している。
カバー開閉センサ３００によって、ＦＢＳカバー３５が開になったことを検知し（Ｓ２００）、長寿命モード選択キー７８２で長寿命モードが選択された場合は（Ｓ２０１）、前回転処理動作に移行しないようプリント処理をここでは禁止する（Ｓ２０２）。ここで長寿命モードが選択されなかった場合は、通常モードとして上述のようなプリント処理を行う（Ｓ２１２）。
プラテンガラス３４の上に原稿が置かれたことを原稿検知センサ３０１によって検知し、ＡＤＦ２が閉になったことをカバー開閉センサ３００によって検知した後、スタートキー７８０がＯＮになった場合は（Ｓ２０３〜Ｓ２０５）、タイマ部７４の計時を開始する（Ｓ２０６）。そしてタイマ部７４によって所定時間が計時されるとともに、プラテンガラス３４上の原稿をＦＢＳ３３によって読取り、ＦＢＳ３３によって読取った原稿読取データを画像メモリ７３へ蓄積していく（Ｓ２０６）。
【００２８】
ＦＢＳ３３による読取りが完了し（Ｓ２０７）、所定時間内において原稿読取データの蓄積枚数が所定枚数に達していない場合は（Ｓ２０９）は、プリント許可の制御には移行せず、再びプラテンガラス３４上に原稿が置かれたか否かの検知（Ｓ２０３）を行う。そして上述のＳ２０４〜Ｓ２０８の処理をＦＢＳ３３で読取られた原稿が所定枚数に達するまで繰り返す（Ｓ２０９）。Ｓ２０９からＳ２０３へ移行する前のタイミングで再度スタートキー７８０がＯＮされるなど、プリント開始の操作がなされた場合は、Ｓ２０３へ移行せず、禁止していたプリント処理を許可し（Ｓ２１０）、画像メモリ７３に蓄積された原稿読取データを１ジョブとしてプリント処理する（Ｓ２１１）。ここでプリント開始の操作（Ｓ２１３）ではなく、読取り終了の専用の操作キーを設け、これをトリガとしてもよい。
【００２９】
これによれば、所定時間が経過しておらず、且つ画像メモリ７３に所定の枚数の原稿読取データが蓄積される前であっても、プリント開始の操作がなされた場合には、読取りは完了したとして、禁止していたプリント処理を許可するステップへ移行できる。例えば原稿読取データの蓄積枚数を「１０」と設定していたところ、「５」枚で読取りを終了させたい場合は、「５」枚の原稿の読取りが完了した時点でプリント開始操作を行えば、タイムアップしていなくても、プリント処理を行うことができるのである。
よって、より一層ユーザの使用に応じたフレキシブル性を備え、原稿読取データの蓄積枚数が所定の枚数に達しない場合でも、タイムアップを待たずにプリント処理ができるので、応答性のよくなる。
ここでは説明していないが、１ジョブとして処理する原稿を蓄積する枚数は、予め設定されている構成としてもよいし、ユーザ側で設定できる構成としてもよいことは図３の例と同様である。
尚、長寿命モード時の制御は上述の動作に限定されない。要は長寿命モードが選択された場合は、従来のようにＦＢＳ３３で一枚の原稿が読取られる度に、これを１ジョブとして前回転処理を行うのではなく、複数枚の原稿読取データを蓄積し、これを１ジョブとしてプリント処理を行う構成であればよい。
【００３０】
以上ではクリーナレスシステムが採用された電子写真方式の画像記録部３について説明したが、これに限定されず、感光体ドラム４１にブレードを接触させ、残留トナーをかきとるシステムにも適用することができる。
また、１成分現像方式の画像形成装置１について説明したが、これに限定されず２成分現像方式の画像形成装置にも適用することはいうまでもない。更に図１に示す画像形成装置１、画像読取部３、画像記録部４などの構成は図例に限定されず、他の構成であってもよい。
【図面の簡単な説明】
【００３１】
【図１】本発明の画像形成装置が採用された複合機の一例を示す概略的縦断面図である。
【図２】同画像形成装置の主要構成部分の制御ブロック図である。
【図３】同画像形成装置の基本動作を示すフローチャートである。
【図４】同画像形成装置の基本動作の変形例を示すフローチャートである。
【符号の説明】
【００３２】
１        画像形成装置
３        画像読取部
３３      画像読取走査部（ＦＢＳ）
３４      原稿板（プラテンガラス）
４        画像記録部
７０      ＣＰＵ（制御部）
７３      画像メモリ
７４      タイマ部
７８      操作部
７９      設定部
【図１】
2010041313.tif 000003
【図２】
2010041313.tif 000004
【図３】
2010041313.tif 000005
【図４】
2010041313.tif 000006